(57)【特許請求の範囲】
【請求項１】
複数の回転盤をコイン一枚の厚さよりやや大きい間隔をあけて前後方向に連結して回転自在に設け、前記回転盤の中央部それぞれにコイン径よりかなり大きい開口部を設け、隣り合う回転盤の開口部の周縁位置を変えて段差を設けるとともにその段差の高さが円周方向に沿って変化するように設け、複数の回転盤で内部が空洞となったドラムを構成し、同ドラムの下方に回転盤間の間隙に落ち込んだコインを外へ送るシュートを設け、ドラムの外周部に回転盤間の間隙に落ち込んだコインを立てた状態のままで支持して前記シュートに送るガイドを設け、ドラムの回転により前後の回転盤の開口部の段差を変化させてドラム内に投入したコインを回転盤間の間隙に落とし込みやすくして複数のコインを縦列させてシュートで外部に送れるようにしたコイン縦列方法。
【請求項２】
複数の回転盤の開口部が円形の形状であってその中心をドラムの回転中心に対して偏心させかつ前後の回転盤で円形の開口部の中心が異なる偏心位置となるようにして段差を円周方向に沿って変化するように設けた請求項１記載のコイン縦列方法。
【請求項３】
円形の開口部の中心位置が、ドラムの回転中心に対して回転盤の前後方向に従ってドラムの回転中心回りに一方向に回転する偏心位置となるようにした請求項２記載のコイン縦列方法。
【請求項４】
複数の回転盤をコイン一枚の厚さよりやや大きい間隔をあけて前後方向に連結して回転自在に設け、前記回転盤の中央部それぞれにコイン径よりかなり大きい円形の開口部を設け、同開口部の中心位置がドラムの回転中心に対して回転盤の前後方向に従ってドラムの回転中心回りに一方向に回転する偏心位置となるようにして複数の回転盤で内部が空洞となったドラムを形成し、同ドラムの下方に回転盤間の間隙に落ち込んだコインを外へ送るシュートを設け、ドラムの外周部に回転盤の間隙に落ち込んだコインを立てた状態のままで支持して前記シュートに送るガイドを設けたコイン縦列装置。
【請求項５】
ガイドがドラムの外周を覆う形状とし、同ガイドの下部の一部を開口して排出口を設け、同排出口にシュートを取り付けるようにし、同シュートの上面にコインを縦列で送る複数の溝を並列させて設け、ドラムの開口部より外側で複数の回転盤を貫通させるように整列用部材を円周方向に複数設け、ガイド内周の一部に回転盤の間の間隙に差し込むようにして複数の差し込み片を設けた請求項４記載のコイン縦列装置。
【発明の詳細な説明】
【０００１】
【発明の属する技術分野】
本発明は、コイン・メダル・硬貨など（以下コインと総称する）を立てた状態で前後方向に縦列させるコイン縦列方法及び装置に関し、特にコインを用いる遊技設備において有用である。
【０００２】
【従来の技術】
従来のコインを用いる遊技設備においてコインの洗浄を行うには、回収したコインを洗浄装置に投入して洗浄を行っていた。洗浄装置に投入されたコインは、不整列な状態で重なっているため、コイン同士が重なっている部分は適切に洗浄されない場合が多かった。このため、コインを撹拌するなどしていたがこれにより洗浄に要する時間は長くかかっていた。近年では、超音波洗浄装置などのように高い能力の洗浄装置があり、これらの洗浄装置で効率よくコインの洗浄を行うには不整列な状態で回収されるコインを所定の間隔で縦列させる必要があった。
【０００３】
【発明が解決しようとする課題】
本発明が解決しようとする課題は、これらの問題点を解消し、不整列な状態のコインを縦列に整列させることができ、また縦列させる際にコインの間が所定の間隔となるようにできるコイン縦列方法及び装置を提供することにある。
【０００４】
【課題を解決するための手段】
かかる課題を解決した本発明の構成は、
１）  複数の回転盤をコイン一枚の厚さよりやや大きい間隔をあけて前後方向に連結して回転自在に設け、前記回転盤の中央部それぞれにコイン径よりかなり大きい開口部を設け、隣り合う回転盤の開口部の周縁位置を変えて段差を設けるとともにその段差の高さが円周方向に沿って変化するように設け、複数の回転盤で内部が空洞となったドラムを構成し、同ドラムの下方に回転盤間の間隙に落ち込んだコインを外へ送るシュートを設け、ドラムの外周部に回転盤間の間隙に落ち込んだコインを立てた状態のままで支持して前記シュートに送るガイドを設け、ドラムの回転により前後の回転盤の開口部の段差を変化させてドラム内に投入したコインを回転盤間の間隙に落とし込みやすくして複数のコインを縦列させてシュートで外部に送れるようにしたコイン縦列方法
２）  複数の回転盤の開口部が円形の形状であってその中心をドラムの回転中心に対して偏心させかつ前後の回転盤で円形の開口部の中心が異なる偏心位置となるようにして段差を円周方向に沿って変化するように設けた前記１）記載のコイン縦列方法
３）  円形の開口部の中心位置が、ドラムの回転中心に対して回転盤の前後方向に従ってドラムの回転中心回りに一方向に回転する偏心位置となるようにした前記２）記載のコイン縦列方法
４）  複数の回転盤をコイン一枚の厚さよりやや大きい間隔をあけて前後方向に連結して回転自在に設け、前記回転盤の中央部それぞれにコイン径よりかなり大きい円形の開口部を設け、同開口部の中心位置がドラムの回転中心に対して回転盤の前後方向に従ってドラムの回転中心回りに一方向に回転する偏心位置となるようにして複数の回転盤で内部が空洞となったドラムを形成し、同ドラムの下方に回転盤間の間隙に落ち込んだコインを外へ送るシュートを設け、ドラムの外周部に回転盤の間隙に落ち込んだコインを立てた状態のままで支持して前記シュートに送るガイドを設けたコイン縦列装置
５）  ガイドがドラムの外周を覆う形状とし、同ガイドの下部の一部を開口して排出口を設け、同排出口にシュートを取り付けるようにし、同シュートの上面にコインを縦列で送る複数の溝を並列させて設け、ドラムの開口部より外側で複数の回転盤を貫通させるように整列用部材を円周方向に複数設け、ガイド内周の一部に回転盤の間の間隙に差し込むようにして複数の差し込み片を設けた前記４）記載のコイン縦列装置
にある。
【０００５】
【作用】
本発明では、複数の回転盤をコイン一枚の厚さよりやや大きい所定の間隔をあけて前後に連結したドラムを設け、前後の回転盤で開口部の周縁位置を変えて段差となるようにそれぞれの回転盤に設けている。この開口部の内部にコインを投入してドラムを回転させると、投入された際にコインが立つように傾いていて、そのコインが回転盤間の間隙に位置している場合は、コインは回転盤間の間隙に落ち込み、投入された残りのコインの下面は複数の回転盤の内周で支持されることになる。コインはその重さによって回転盤の回転に対してすべるようにして多少揺動しながら下方に位置する。よって回転盤に対する相対位置は回転方向に変わって行く。コインの下面を支える開口部の複数の内周位置の差つまり段差の高さは回転に伴って変化する。よってコインは回転盤の回転によって傾きを変化させられることになる。投入されたコインはこの傾きによって回転盤の側壁に当たるまで移動し、その後さらに傾けられることによってコインが立って行くと、コインは回転盤同士の間で立って行くように傾き、コインを支える回転盤との摩擦力が小さくなり、コインの重さによって回転盤同士の間にコインは落ち込むように移動する。このことが複数箇所で行なわれるので、コインが縦列した状態にできる。その後、回転盤同士の間に移動したコインをガイドで受け、コインを立てた状態で保持しながらシュートによって外部に送り出す。
複数の回転盤の開口部が円形の形状であってその中心をドラムの回転中心に対して偏心させかつ前後の回転盤で円形の開口部の中心が異なる偏心位置となるようにしたものは、円形の開口部の段差が緩やかに変化してコインを立てるようにし、かつ開口部を円形にすることにより、コインと開口部との相対位置がスムーズに変わるようにする。
円形の開口部の中心位置が、ドラムの回転中心に対して前後の回転盤で順に回転方向に位相差を持つ偏心位置になるようにしたものは、開口部の内周縁の最もドラムの回転中心に近い部分は螺旋状に配置することになり、ドラム内に投入されたコインを螺旋でドラムの回転軸方向に送ることができる。
複数の回転盤を前後に連結し、回転盤それぞれに円形の開口部を設け、開口部の中心位置を順に回転方向に位相差を持つ偏心位置になるようにし、ドラムの外周部にガイドを設け、ガイドにシュートを取り付けるようにしたものは、ドラム内に投入されたコインをドラムの回転軸方向に送るようにしながら、ドラムの回転により前後の回転盤の開口部の段差を変化させてドラム内に投入したコインを立てるように傾け回転盤間の間隙にコインを落し込みやすくして複数のコインを前後に縦列させてシュートで外部に縦列した状態で送れるようにする。
ガイドをドラムの外周を覆う形状にし、ガイドに排出口を設け、排出口にシュートを取り付けるようにし、複数の回転盤を貫通させるようにして整列用部材を設け、ガイドの内周の一部に回転盤同士の間に差し込むように複数の差し込み片を設けたものは、差し込み片によってガイドの内周に沿って排出口に向かうコインが一方向からのみになるようにし、ガイドの排出口で上方に重なったコインを整列用部材で後方に移動させる。
【０００６】
【発明の実施の形態】
回転盤の間の複数の間隙に落とし込んで縦列にしたコインは、この隙間を持たせた縦列状態でその後移動させても、隙間のない状態にして移動させてもよい。
本発明のコイン縦列方法及びコイン縦列装置は、コインの洗浄用としてだけではなく、コイン保管場所の省スペース化のために縦列させたり、コイン搬送の途中に用いるなどしてもよい。
ドラムは駆動装置を設けて駆動装置の駆動力によって回転させるようにしても、他の装置の駆動力によって回転させるようにしてもよい。
回転盤の開口部は円形でも多角形や楕円形でもよい。
回転盤間の間隙は開口部の偏心量によるコインを立たせる傾き状態で移動できる間隔にするのが好ましい。
【０００７】
【実施例】
本発明の実施例について図面を参照して具体的に説明する。
図１〜５に示す実施例は使用されて回収されたコインを縦列させて洗浄装置でコインを洗浄するのに用いたコイン縦列方法及び装置の例である。
図１は実施例のコイン縦列方法及び装置を用いたコイン洗浄装置の説明図である。図２は実施例のコイン縦列装置の一部切欠平面図である。図３は実施例のコイン縦列装置の側面図である。図４は実施例のコイン縦列装置の背面図である。図５は実施例のコイン縦列方法及び装置の説明図である。図６は実施例のコイン縦列装置に連結したコイン搬送装置の説明図である。図７は実施例のコイン縦列装置に連結したコイン搬送装置の一部拡大平面図である。図８は実施例のコイン縦列装置に連結したコイン搬送装置の一部拡大断面図である。
図中、１はコイン縦列装置、２はドラム、３は回転盤、３ａは開口部、３ｂは内周位置部分、３ｃは中心位置、４は側壁部、４ａは回転軸、４ｂはスプロケット、５は駆動装置、５ａは電動モーター、５ｂはスプロケット、６はチェーン、７は整列用部材、８はカバー、８ａは排出口、８ｂはコイン移動防止部、９は排出シュート、９ａは排出溝、１１はコイン回収・送り装置、１１ａは受け部、１１ｂはかさ状回転部、１１ｃはコイン搬送部、１１ｄは電動モーター、１１ｅは連結部材、１１ｆは延長部材、１１ｇは誘導板、１２は投入シュート、１４はコイン搬送装置、１４ａはスプロケット、１４ｂはチェーン、１４ｃはコイン支持体、１４ｄは係合板、１６は超音波洗浄装置、１６ａはエアー吹き出し口、１８は乾燥装置、１８ａはエアー吹き出し口、ｃはコインである。
本実施例では、コインを超音波洗浄で効率よく洗浄するために縦列させる例である。
【０００８】
まず、図１〜４に示すようにコイン縦列装置１は、下部に駆動装置５として電動モーター５ａを設け、電動モーター５ａの出力軸にはスプロケット５ｂを設ける。次に駆動装置５のスプロケット５ｂの上方に側壁部４のスプロケット４ｂを設ける。スプロケット４ｂには回転軸４ａを取り付け、回転軸４ａを軸受で回転自在に支持する。回転軸４ａのスプロケット４ｂを取り付けた側と反対側には、径の大きい円盤状の側壁部４を設ける。
次に側壁部４のスプロケット４ｂと反対側の面に所定長さで棒状の整列用部材７を側壁部４の回転中心から所定の半径方向に離れた回転方向の８箇所に取り付ける。これによって整列用部材７は側壁部４から回転軸方向に突出させて設けられる。
次に側壁部４とほぼ同じ外径で所定の厚さの円板状の回転盤３を所定枚数設ける。回転盤３には中心より所定の距離、所定の方向に偏心させて開口部３ａをそれぞれ設ける。開口部より外側には、整列用部材７を嵌入させるための取付穴を回転方向の８箇所に設ける。
次に側壁部４から突出した整列用部材７を回転盤３の取付用穴に嵌入するようにして、回転盤３を取り付ける。次に整列用部材７にそれぞれ所定厚さの管状のスペーサーを嵌入するようにして取り付け、次に別の回転盤３を取付用穴に整列用部材７を嵌入するようにして取り付ける。回転盤３同士の間にスペーサーを挟み込むようにすることで回転盤３同士の間の間隔を所定の間隔にすることができる。このようにして順に回転盤３を複数取り付ける。さらに回転盤３を取り付ける際には、開口部３ａの中心位置３ｃがドラム２の回転中心から偏心した位置で順に回転方向に位相差を持つ位置となるように４５°ずつズレるように設ける。これによって図４に示すように、回転盤３の開口部の内周縁は、軸方向にねじ溝状に凹凸した配置となる。また、回転方向に順に偏心させたことによって、最もドラム２の回転中心に近い開口部の内周縁部分は螺旋状に配置されることになる。また、前後の回転盤３を比較すると互いの中心位置３ｃがドラム２の回転中心に対して４５°ずつズレた回転位置となるため互いの内周縁の位置は回転させると差が変化するようになる。
このようにして回転盤３を連結して形成したドラム２の開口部３ａは一端が側壁部４によって閉じられ、もう一端が開口した状態となる。
【０００９】
次にドラム２の外周を覆うカバー８を設ける。カバー８は下方の一部を開口して排出口８ａとする。さらに排出口８ａの上方となるカバー８の所定の範囲部分には、内周に扇状の金属板を複数、所定間隔で設けるようにして、この金属板が回転盤同士の間に嵌入されるようにする。この扇状の金属板の内周は、整列用部材７より外側に位置する円弧状にする。このように扇状の金属板を設けた部分をコイン移動防止部８ｂとする。
次に、カバー８の排出口８ａから斜め下方に伸びる排出シュート９を設ける。排出シュート９の上面にはドラム２の回転盤３同士の間隔と同じ間隔で所定高さの仕切板を複数設けて排出溝９ａを構成する。
【００１０】
次にコイン縦列装置１のドラム２の開口部の開口側の側方にコイン回収・送り装置１１を設ける。
コイン回収・送り装置１１は、図４に示すようにドラム２の側方下部の位置に出力軸が上方に向くように電動モーター１１ｄを設ける。次に電動モータ１１ｄの上方に外周に円筒状の側壁を有する皿形のコイン搬送部１１ｃを設ける。次にこのコイン搬送部１１ｃの中央に軸受によって回転自在な回転軸を設ける。この回転軸は電動モーター１１ｄの出力軸の延長状に同軸となるように設ける。次にコイン搬送部１１ｃに設けた回転軸と電動モーター１１ｄの出力軸を連結部材１１ｅで連結する。次にコイン搬送部１１ｃに設けた回転軸を上方に延長させるように延長部材１１ｆを設け、延長部材１１ｆの上端から角度が緩やかな円錐状に斜め下方に広がるようにしたかさ状回転部１１ｂを延長部材１１ｆの上端に取り付ける。これによって、かさ状回転部１１ｂは電動モーター１１ｄによって駆動されて回転できるようになる。
次にかさ状回転部１１ｂの上方に筒状の受け部１１ａを設ける。受け部１１ａは側方の一部を図４に示すようにコイン搬送部１１ｃの一部をブラケットで連結するようにして受け部１１ａの下端を浮かせた状態で支持するようにする。
さらに受け部１１ａの途中を径が小さくなるように絞る形状にして、下端の径がかさ状回転部１１ｂの円錐上面の途中に位置する径となるようにする。受け部１１ａの下端部分には短冊状のゴム板を外周に沿って設け、ゴム板の下端は、かさ状回転部１１ｂの円錐上面に接しかつ斜め下方に伸びるようにする。
次にコイン搬送部１１ｃの筒状の外周側壁のドラム２の開口部３ａに近い一部を除去し、この外周側壁のない部分からドラム２の開口部３ａ内にコインを誘導する投入シュート１２を設ける。さらにコイン搬送部１１ｃの外周側壁のない投入シュート１２に接続した部分のコイン搬送部１１ｃの外周に近いかさ状回転部１１ｂの上方にコインを投入シュート１２に誘導するための誘導板１１ｇを設ける。
【００１１】
次に、コイン縦列装置１の排出シュート９の送り先の先端の下方で排出シュート９の側端より外側の両側にスプロケット１４ａを設け、さらに所定の距離離れ、かつ排出シュート９の送り先の下方に設けたスプロケット１４ａにそれぞれ対応するようにスプロケット１４ａを設ける。次に排出シュート９の送り先の先端部分の両側から排出シュート９の送り方向に伸びるよう配置されるように２本のチェーン１４ｂをスプロケット１４ａにそれぞれ取り付ける。
次に排出シュート９の仕切板と同じ厚さでコインよりやや大きい所定の径の円板とコインより小さい所定の径で排出シュート９の排出溝９ａと同じ厚さの小円板を交互に所定数連結したコイン支持体１４ｃを設ける。コイン支持体１４ｃには、貫通穴を設ける。
チェーン１４ｂは、小さいプレートを向い合わせに配置し、プレート同士の間にスプロケット１４ａの歯と歯の間に係合するローラーを２つ所定の間隔で設けたものを別のプレートで多数連結したもので、プレートとプレート、プレートとローラーは所定の範囲で回転自在に連結される。チェーン１４ｂは排出シュート９の送り先方向の両側にはり渡されている。この２本のチェーン１４ｂの間にコイン支持体１４ｃを配置し、軸がコイン支持体１４ｃの貫通穴を貫通して両端が両側のチェーン１４ｂのローラーをそれぞれ貫通させ、抜け止め用の金具で軸がローラーに対して回転自在となるように取り付ける。同様にして、チェーン１４ｂの間にコイン支持体１４ｃが回転自在に多数設けられるようにする。
【００１２】
次にチェーン１４ｂ、コイン支持体１４ｃの上側の一部がその水槽部を貫通するように超音波洗浄装置１６を設ける。超音波洗浄装置１６は、水を入れておくための水槽部、水槽部上方から超音波を発する振動子からなり、この超音波洗浄装置１６の水槽部は向かい合う横方向の２面の一部を開放し、その上方に下方に向って強く空気を吹き出すエアー吹き出し口１６ａを設けている。この水槽部の開放した部分にチェーン１４ｂ、コイン支持体１４ｃの上側の一部を貫通させるようにして超音波洗浄装置１６を設置する。
次に上側の多数のコイン支持体１４ｃのうち、コイン縦列装置１に近い方のスプロケット１４ａに近い位置から超音波洗浄装置１６の水槽部のコイン縦列装置１から離れる方の端までのコイン支持体１４ｃの径大部分の下面と接触する係合板１４ｄを設ける。
次にチェーン１４ｂ、コイン支持体１４ｃの上側で超音波洗浄装置１６の水槽部を貫通した後の部分からコイン縦列装置１から離れた方のスプロケット１４ａまでの間の上方及び下方に互い違いに上方２箇所、下方１箇所から、コイン支持体１４ｃに向かって熱風を送るエアー吹き出し口１８ａを設け、エアー吹き出し口１８ａに熱風を送る乾燥装置１８を設ける。
次にコイン縦列装置１から離れる側のスプロケット１４ａの下方に回収容器を設け、スプロケット１４ａの下部から回収容器にコインを誘導するシュートを設ける。
【００１３】
本実施例のコイン縦列方法及び装置を組み込んだコイン洗浄装置を用いてコインを洗浄するには、使用されたコインをコイン回収・送り装置１１の筒状の受け部１１ａ内に次々と連続して投入する。受け部１１ａに投入されたコインはかさ状回転部１１ｂ上に位置することになる。あらかじめ電動モーター１１ｄを駆動させることによってかさ状回転部１１ｂは回転しているので、かさ状回転部１１ｂに接したコインは斜め下方の外周方向に向って移動するように力を加えられる。斜め下方外周に移動したコインは、受け部１１ａの下端とかさ状回転部１１ｂの間から短冊状のゴム板を押すようにしてさらに外周に移動してコイン搬送部１１ｃの外周壁の内側にたまって行く。さらに、コイン搬送部１１ｃの外周付近にたまったコインも一部がかさ状回転部１１ｂに接するので、かさ状回転部１１ｂの回転によって徐々に回転方向に移動する。このようにしてコイン搬送部１１ｃの外周壁に沿って回転方向に移動したコインは、移動方向を誘導板１１ｇによって遮ぎられることによって誘導板１１ｇに沿って投入シュート１２上に移動する。コインは投入シュート１２上を摺動するようにして、ドラム２の開口部３ａ内に投入される。投入した段階で縦方向に立った状態となったコインは回転盤３同士の間から落下するが、横になった状態のコインは、下面を開口部３ａの内周縁に支持されるように位置する。回転盤３の開口部３ａは、ドラム２の回転中心に対して中心を偏心させ、かつ前後の開口部を順に回転方向に沿った偏心位置にしているので、コインを支持する開口部３ａの内周縁は必ず段差を持つことになる。このドラム２は回転しているが、コインはその重さによって多少ドラム２に伴って移動しても摺って開口部３ａの下方に位置するので、開口部３ａの内周縁とコインの回転方向の相対位置が変って行くことになる。図２に示すように開口部３ａの最下方部分を断面で見ると交互に山と谷が組み合わせた状態になっているので、投入されたコインは必ず傾斜することになり、傾斜したコインの下端部分は、回転盤３の開口部３ａより外側部分に当たった図５（ａ）の状態になる。この状態でドラム２が回転してコインと開口部３ａの回転方向の位置が変化すると、コインの下面を支持している開口部３ａの内周縁の段差の高さが変化する。段差の高さが大きくなると、コインは立てるように大きく傾けられる。これによって、コインは下端が接していた回転盤３とコインの下面を支持していた回転盤３の間に落下して行くことになる。
【００１４】
また、この傾きは、逆の傾きでも起こるため、投入したコインの内、開口部３ａの内周縁に接したコインは、次々と傾けられて回転盤同士の間に落ちて行くことになる。
さらに、開口部の中心が前後で順に回転方向に沿って偏心した位置となることによって、断面で見た際に山となるドラム回転中心に近い内周縁部分は、らせん状に配置されているので、コインの上に重ったコインはらせんの動きによって開口した開口部３ａの一端から側壁部４に向って奥へ移動して行くので、ドラムの開口部３ａの内周部分にコインを広げるように効率よくコインを回転盤３同士の間に落として行く。
【００１５】
このようにして、回転盤３の間に落下して向きを揃えられたコインは、縦に立った状態を回転盤３に保持されながら、下端がカバー８の内周に接し、コインの自重によって排出口８ａに移動する。排出口８ａと排出シュート９には、コインを縦に立った状態で保持するように排出溝９ａが設けられているので、コインは転がるようにして排出シュート９上を斜め下方に移動する。
【００１６】
また、コインをカバーの内周に沿って排出口８ａに向かわせる反対側には、回転盤同士の間に扇形の金属板を差し込んだコイン移動防止部８ｂを設けているので、コインの排出口８ａに両側から移動したコインが詰まるようなことがないようにしている。また、排出口８ａの部分で上下にコインが並んだ場合には、ドラム２の回転運動をしている整列用部材７によって上に重ったコインが排出口８ａから遠ざかる方向に強制的に移動させられるので、コインはスムーズに縦に並んで排出口８ａから外部に移動して行く。
【００１７】
次に、排出シュート９の送り先に移動したコインは下方に移動してコイン支持体１４ｃとコイン支持体１４ｃの間で大径部分と大径部の間に移動する。コインは２つのコイン支持体１４ｃの小径部分によってコインの斜め下方部分２箇所を支持することになる。このようにしてコインは縦に立った状態で保持され、図示しない駆動装置によってスプロケット１４ａが駆動されることによるチェーン１４ｂの回転によって、超音波洗浄装置１６に向って移動する。
超音波洗浄装置１６はコイン支持体１４ｃ及びチェーン１４ｂが突入、突出する２面の一部の上方にエアー吹き出し口１６ａを設けて空気の壁を形成するように空気を吹き出す。この状態で水槽部内に水を入れると、少量は、開放面の空気によって外部に吹き飛ばされて行くが大部分は、水槽内に残る。外部に流出する少量分の水を補給し続けることによって水槽内の水は一定量に保たれる。
よってコイン支持体１４ｃによって支持されたコインは、空気の壁を通過して水中に没した状態となる。この状態で超音波洗浄装置の振動子によって発振してコインが効果的に洗浄される。さらにコイン支持体１４ｃの下端には係合板１４ｄが接するように設けられているので、コイン支持体１４ｃが移動に伴って回転することになる。コイン支持体１４ｃが回転することによってコインを支持している２つの径小部分も回転する。よってコインも移動に伴って回転することになる。よって、超音波洗浄装置の水槽部内を通過するコインは回転しながら全面が充分に洗浄されることになるので、より効率的に効果高く洗浄される。また、コイン同士は、一枚ずつ、コイン支持体１４ｃの径大部分の間に位置するので、コイン同士が接触してその部分が洗浄されていないようなことがない。
このようにして、十分に洗浄したコインは空気の壁を通過して水槽部の外部に移動する。水槽部の外部に移動したコインは乾燥装置１８のエアー吹き出し口１８ａからの熱風によって水を飛ばされかつ乾燥させられる。コインをコイン支持体１４ｃの間に支持して位置させているので、水が下方に通りやすく、また上下からの熱風によって効率よく乾燥できる。
【００１８】
乾燥装置１８によって乾燥したコインは、スプロケット１４ａの部分で下方にターンするコイン支持体１４ｃから下方のシュート上に落下し、シュートによって回収容器に集められる。
このように、実施例の縦列方法及び縦列装置を組み込んだコインの洗浄装置にすることによって、コインを連続して速い速度で縦列させることができ、その後の処理が非常に効率的に行えるようになる。さらにその後、縦列したコインを連続的に洗浄することによって非常に効率的に速い速度で洗浄を行うことができる。
【００１９】
【発明の効果】
本発明によれば、不整列な状態のコインを縦列に整列させることができ、また縦列させる際にコインの間が所定の間隔となるようにできるコイン縦列方法にできる。
複数の回転盤の開口部が円形の形状であってその中心をドラムの回転中心に対して偏心させかつ前後の回転盤で円形の開口部の中心が異る偏心位置となるようにしたものは、確実にコインを立たせるように傾けて、効率よくコインを縦列させて行くことができる。
円形の開口部の中心位置が、ドラムの回転中心に対して回転盤の前後方向に従ってドラムの回転中心回りに一方向に回転する偏心位置となるようにしたものは、さらに多くのコインを効率的に縦列させることができる。
複数の回転盤を前後に連結し、回転盤それぞれに円形の開口部を設け、開口部の中心位置を順に回転方向に位相差を持つ偏心位置になるようにし、ドラムの外周部にガイドを設け、ガイドにシュートを取り付けるようにしたものは、不整列な状態のコインを縦列に整列させることができ、また縦列させる際にコイン同士が所定の間隔となるようにできるコイン縦列装置にできる。
ガイドをドラムの外周を覆う形状にし、ガイドに排出口を設け、排出口にシュートを取り付けるようにし、複数の回転盤を貫通させるようにして整列用部材を設け、ガイドの内周の一部に回転盤同士の間に差し込むように複数の差し込み片を設けたものは、排出口でコインが詰まることを防止し、確実にガイドの排出口からコインが縦列になった状態で排出できる。
【図面の簡単な説明】
【図１】実施例のコイン縦列方法及び装置を用いたコイン洗浄装置の説明図である。
【図２】実施例のコイン縦列装置の一部切欠平面図である。
【図３】実施例のコイン縦列装置の側面図である。
【図４】実施例のコイン縦列装置の背面図である。
【図５】実施例のコイン縦列方法及び装置の説明図である。
【図６】実施例のコイン縦列方法に連結したコイン搬送装置の説明図である。
【図７】実施例のコイン縦列装置に連結したコイン搬送装置の一部拡大平面図である。
【図８】実施例のコイン縦列装置に連結したコイン搬送装置の一部拡大断面図である。
【符号の説明】
１  コイン縦列装置
２  ドラム
３  回転盤
３ａ  開口部
３ｂ  内周位置部分
３ｃ  中心位置
４  側壁部
４ａ  回転軸
４ｂ  スプロケット
５  駆動装置
５ａ  電動モーター
５ｂ  スプロケット
６  チェーン
７  整列用部材
８  カバー
８ａ  排出口
８ｂ  コイン移動防止部
９  排出シュート
９ａ  排出溝
１１  コイン回収・送り装置
１１ａ  受け部
１１ｂ  かさ状回転部
１１ｃ  コイン搬送部
１１ｄ  電動モーター
１１ｅ  連結部材
１１ｆ  延長部材
１１ｇ  誘導板
１２  投入シュート
１４  コイン搬送装置
１４ａ  スプロケット
１４ｂ  チェーン
１４ｃ  コイン支持体
１４ｄ  係合板
１６    超音波洗浄装置
１６ａ  エアー吹き出し口
１８  乾燥装置
１８ａ  エアー吹き出し口
Ｃ  コイン
【図１】
0003556569.tif 000002
【図２】
0003556569.tif 000003
【図３】
0003556569.tif 000004
【図４】
0003556569.tif 000005
【図５】
0003556569.tif 000006
【図６】
0003556569.tif 000007
【図７】
0003556569.tif 000008
【図８】
0003556569.tif 000009